(57)【要約】  本発明は、化粧品を塗布するための組立体、構成要素、及び方法に関する。細長い器具の形態の化粧品アプリケータワンドは、ユーザが把持するための領域を含み、拡大要素は、随意的に溝を含み、ワンドはアプリケータに結合することができる。組立体は、使用が容易で心地よいように設計される。【選択図】図１Ａ
2021518793.tif 000002
【特許請求の範囲】
【請求項１】
細長い器具の形態の化粧品アプリケータワンドであって、
前記細長い器具の第１の端部と第２の端部との間に配置され、ユーザが把持するように構成された領域を含むステム部と、
前記細長い器具の前記第１の端部のアプリケータ連結要素と、
前記ユーザが把持するように構成された領域と前記アプリケータ連結要素との間に配置された拡大要素と、を備えている、
ことを特徴とする化粧品アプリケータワンド。
【請求項２】
前記ユーザが把持するように構成された領域は、円形、楕円形、又はｎ辺形（ｎは３から１０の間の整数）の断面形状を有する、
請求項１に記載の化粧品アプリケータワンド。
【請求項３】
前記ユーザが把持するように構成された領域は、ユーザがしっかりと把持するためのテクスチャード加工が施されている、
請求項１に記載の化粧品アプリケータワンド。
【請求項４】
前記ステムは、テーパー付けされており、前記拡大要素に最も近い位置でより大きな断面積を有し、前記拡大要素から遠位の位置でより小さい断面積を有する、
請求項１に記載の化粧品アプリケータワンド。
【請求項５】
前記拡大要素は溝を含む、
請求項１に記載の化粧品アプリケータワンド。
【請求項６】
前記溝はアーチ形表面を有する、
請求項５に記載の化粧品アプリケータワンド。
【請求項７】
前記拡大要素は、約５ｃｍよりも小さい直径を有する、
請求項１に記載の化粧品アプリケータワンド。
【請求項８】
前記アプリケータ連結要素は、アプリケータハンドルに取り外し可能に結合するように構成されており、前記細長い器具の主軸と前記アプリケータハンドルの主軸は実質的に平行である、
請求項１に記載の化粧品アプリケータワンド。
【請求項９】
前記連結要素及び前記アプリケータハンドルは、雄雌結合体を備える、
請求項１ないし８のいずれか１項に記載の化粧品アプリケータワンド。
【請求項１０】
シャフト及びアプリケータ先端を備える化粧品アプリケータであって、
前記アプリケータ先端は、前記シャフトの主軸から離れて湾曲し、のぞき用又は観察用貫通孔として構成された貫通孔を含む、
ことを特徴とする化粧品アプリケータ。
【請求項１１】
前記アプリケータは、シリコーン、熱可塑性ポリウレタン（ＴＰＵ）、熱可塑性エラストマー（ＴＰＥ）、又はこれらの組み合わせで構成される、
請求項１０に記載の化粧品アプリケータ。
【請求項１２】
前記アプリケータ先端は、化粧品製剤を塗布するための少なくとも２つの作業面を備える、
請求項１０に記載の化粧品アプリケータ。
【請求項１３】
前記アプリケータは、ホルダーに取り外し可能に取り付けられる、
請求項１０に記載の化粧品アプリケータ。
【請求項１４】
細長い器具の形態の化粧品アプリケータワンドと、アプリケータシャフト及びアプリケータ先端を備えるアプリケータとを備え、前記アプリケータ先端が、化粧品製剤を皮膚に塗布するための塗布面を含む、化粧品塗布用の組立体であって、前記塗布用ワンドは、
前記細長い器具の第１の端部と第２の端部との間に配置され、ユーザが把持するように構成された領域を含むステム部と、
前記細長い器具の前記第１の端部のアプリケータ連結要素と、
前記ユーザが把持するように構成された領域と前記アプリケータ連結要素との間に配置された拡大要素と、を備え、
前記アプリケータシャフトは、前記アプリケータ連結要素を用いて前記細長い器具の前記第１の端部で前記ワンドに結合される、
ことを特徴とする組立体。
【請求項１５】
前記アプリケータ先端は、のぞき用又は観察用貫通孔として構成された貫通孔を備える、
請求項１４に記載の組立体。
【請求項１６】
化粧品製剤用のリザーバとして構成されると共に、前記細長い器具の前記第１の端部に最も近い前記ワンドをシールするように構成された容器をさらに備える、
請求項１４に記載の組立体。
【請求項１７】
対象者に化粧品製剤を塗布する方法であって、
前記細長い要素の前記ステム部を用いて請求項１４に記載の前記組立体を保持するステップと、
前記アプリケータの前記塗布面を、前記対象者のまぶた又は眉に接触させるステップと、
を含む、
ことを特徴とする方法。
【請求項１８】
前記拡大要素を、前記対象者の顔に対して着底させる（ｇｒｏｕｎｄｉｎｇ）ステップをさらに含む、
請求項１７に記載の方法。
【請求項１９】
前記着底させるステップは、前記対象者の顔に対して前記要素を回転させる又は滑らせることを含む、
請求項１７に記載の方法。
【請求項２０】
請求項１３に記載の前記組立体は、指を置くために配置された溝を含み、前記溝に指を置くステップを伴う前記組立体を保持するステップを含む、
請求項１７に記載の方法。
【発明の詳細な説明】
【技術分野】
【０００１】
（関連出願）
本出願は、２０１８年２月８日出願の米国仮出願番号６２／６２７，８６０の優先権を主張するものであり、その開示内容全体は引用により本明細書に組み込まれている。
【０００２】
（技術分野）
本出願は、化粧品塗布用の組立体、構成要素、及び方法に関する。例えば、化粧品アプリケータワンド及びこれをアイライナー製剤を塗布するためのアプリケータと共に使用することが開示される。
【背景技術】
【０００３】
化粧品用のアプリケータ（例えば、化粧用化学製剤を調剤して塗布する又はこれを顔面から取り除くための容器、器具、及び類似のデバイス）は、１９６０年からあまり進化していない。既存のアプリケータは、主として審美的に魅力的であるように設計され、一般的に化粧品製剤の塗布を容易にするために設計されていない。一般的にこのようなアプリケータは、ユーザに、腕を持ち上げて顔から遠ざけた状態で、手でアプリケータを保持するのに腕の強さに頼ることを求める。また、化学製剤の正確な塗布は、安定性、適切な視界、巧みな微細運動技能、目と手の協調運動、視覚的注意、奥行き知覚、技能、及び／又は所望の結果を得るための訓練を必要とする。例えば、アイライナー又はマスカラの適切な塗布は難しい場合があり、多くの人は、所望の結果を得るのに必要な１又は２以上の特性を欠いている。その結果、一部の人は、アイライナー及びマスカラを装うのを避け、化粧品製剤を再び塗布する又は修正するのに追加の時間を費やし、劣った塗布を容認し、又は自分でマスカラ又はアイライナーを塗布するのを避け、例えば、化粧品製剤を塗布するために専門のメイクアップアーティストに代金を支払う。一部のアイライナーは、真っ直ぐなラインを描くのに安定したフリーハンドを必要とするので、塗布するのが最も難しい種類の化粧品の１つである。一般的に、ユーザはアイライナーを塗布することになる閉じたまぶたを一方の手で引き伸ばし、他方の手でアイライナーを塗布する場合が多いので、アイライナー塗布は両手を必要とする。
【０００４】
既存の化粧品製剤アプリケータは、保持するのが難しいと見なされるハンドル、グリップ、リッドなどを有する場合が多い。このことは、ますます重要な階層、すなわち高齢者及び／又は身体障害者又は障害者に特に当てはまる。これらの人々は、筋肉制御及び／又は四肢強度の減退、震え、関節硬直、及び／又は弱視を経験することが多い。当該障害の一部は、パーキンソン病、多発性硬化症、関節炎、本態性振戦などの退行性疾患に関連する場合がある。明らかに、化粧品塗布の困難性は、これらの人々をいらだたせる。加えて、これらの人々の一部は、例えば介護士のサポートが十分でなく、又は化粧を施すためにメークアップアーティストを雇う資金が不足している。
【発明の概要】
【発明が解決しようとする課題】
【０００５】
従って、これらの欠点のうちの１又は２以上を解決する改善された化粧品アプリケータに対するニーズが存在する。
【課題を解決するための手段】
【０００６】
全体的に、本明細書に記載された発明は、便利で人間工学的な使用のために設計されるだけでなく洗練された設計の化粧品製剤を塗布するためのアプリケータに関する。例えば、アプリケータは、例えば高齢者ユーザ又は身体障害又は機能障害をもつユーザのため、使用が簡単なように形作られ、設計されるアイライナーワンド（又は他の化粧品製剤と共に使用される）を含むことができる。また、アプリケータは、顕著な身体的制約なしに一般の化粧品ユーザの塗布の容易性、スピード及び上達を高めるために設計される、
【０００７】
１つの態様において、本発明は、細長い器具の形態の化粧品アプリケータワンド（例えば、アイライナーワンド）を備える。ワンドは、細長い器具の第１の端部と第２の端部との間に配置されたステム部を備え、ステム部は、ユーザが把持するように構成された領域を含む。また、ワンドは、ユーザが把持するように構成された領域とアプリケータ連結要素との間に配置された拡大要素（例えば、環状要素）を備える。随意的に、ユーザが把持するよに構成された領域は、円形、楕円形、又はｎ辺形（ｎは３から１０の間の整数）の断面形状を有する。随意的に、ユーザが把持するように構成された領域は、ユーザがしっかりと把持するためのテクスチャード加工が施されている。随意的に、ステムは、テーパー付けされており、拡大要素に最も近い位置でより大きな断面積を有し、拡大要素から遠位の位置でより小さい断面積を有する。随意的に、拡大要素は溝、例えば人差し指の溝を含み、アーチ形表面を有する。随意的に、拡大要素は、約５ｃｍよりも小さい直径を有する。随意的に、アプリケータ連結要素は、アプリケータハンドルに取り外し可能に結合するように構成されており、細長い器具の主軸とアプリケータハンドルの主軸は実質的に平行である。随意的に、連結要素及びアプリケータハンドルは、雄雌の対として構成されている。すなわち、１つの選択肢として、連結要素は、アプリケータハンドルの一端をその中に配置するためのを窪みを備え、又は別の選択肢として、連結要素は、突出部を備え、アプリケータハンドルは突出部をその中に配置するための窪みを備える。
【０００８】
他の態様において、本発明は、化粧品アプリケータを備える。化粧品アプリケータは、シャフト及びアプリケータ先端を備え、アプリケータ先端は、前記シャフトの主軸から離れて湾曲し、アプリケータ先端は、のぞき用又は観察用貫通孔として構成された貫通孔を含む。随意的に、記アプリケータは、シリコーン、熱可塑性ポリウレタン（ＴＰＵ）、熱可塑性エラストマー（ＴＰＥ）、又はこれらの組み合わせで構成される。随意的に、アプリケータ先端は、皮膚に化粧品製剤を塗布するための、例えばまぶたにアイライナーを塗布するための少なくとも２つの作業面を備える。随意的に、アプリケータは、ホルダーに、例えば、限定されるものではないが、上記の化粧品アプリケータワンドに取り外し可能に取り付けられる。
【０００９】
他の態様において、本発明は、化粧品塗布用の組立体に関する。組立体は、細長い器具の形態の化粧品アプリケータワンドと、アプリケータシャフト及びアプリケータ先端を備えるアプリケータとを備え、アプリケータ先端は、化粧品製剤（例えば、アイライナー、マスカラなど）を皮膚（例えば、まぶた、眉、まつ毛）に塗布するための塗布面を含む。随意的に、組立体は、化粧品製剤用のリザーバとして構成され、細長い器具の第１の端部に最も近いワンドをシールするように構成された容器をさらに備える。
【００１０】
さらに他の態様において、本発明は、対象者に化粧品製剤を塗布する、又は対象者をブラッシングする又はグルーミングする方法を含む。本方法は、細長い要素のステム部を用いて上記の化粧品製剤を塗布するために組立体を保持するステップと、アプリケータの塗布面を、対象者の所望の部位（例えば、まぶた又は眉）に接触させるステップとを含む。随意的に、本方法は、拡大要素を、対象者の顔に対して着底させるステップをさらに含む。随意的に、着底させるステップは、対象者の顔に対して拡大要素を回転させる又は滑らせるステップを含む。随意的に、本方法は、組立体の拡大部上も溝に人差し指を置くステップと、溝内に指を置くステップを伴う組立体を保持するステップを含む。
【００１１】
化粧品アプリケータワンドは、概して人間工学的であり、振戦、関節炎、年齢又は他の理由で起こり得る他の課題、又はこれらの組み合わせなどの、身体障害又は機能障害をもつ人々であっても共に使用するために設計される。アプリケータは、組立体又は他のホルダーと共に使用される場合、容易かつ人間工学的使用も可能にするので、ユーザは、楽に及び優しく化粧品を塗布すること、又は皮膚、まつ毛、眉毛などを処理することができる。
【図面の簡単な説明】
【００１２】
【図１Ａ】１つの実施形態による化粧品アプリケータワンド４０の等角図である。
【図１Ｂ】１つの実施形態による化粧品アプリケータワンド４０の側面図である。
【図１Ｃ】１つの実施形態による化粧品アプリケータワンド４０の上面図である。
【図２】化粧品アプリケータワンドの指溝５０の使用方法の実施形態を示す。
【図３】化粧品アプリケータワンドの指溝５０の使用方法の実施形態を別の方向から示す。
【図４】アプリケータ４８を含むワンド４０を使用するための実施形態を示す。
【図５Ａ】本発明の一部の実施形態による組立体の側面図を示す。
【図５Ｂ】本発明の一部の実施形態による組立体の横断正面図を示す。
【図５Ｃ】本発明の一部の実施形態による組立体の横断側面図を示す。
【図６Ａ】アプリケータの実施形態の等角図を示す。
【図６Ｂ】アプリケータの実施形態の正面図を示す。
【図６Ｃ】アプリケータの実施形態の側面図を示す。
【図７】アプリケータが装着されたワンドを把持するユーザの手を示す。
【図８】本発明の実施形態によるアプリケータ及びワンドの種々の実施形態を示す。
【発明を実施するための形態】
【００１３】
本開示は、種々の変形例及び代替形態が可能であり、一部の代表的実施形態が図面に例示的に示されており、本明細書に詳細に説明される。しかしながら、発明性のある態様は、図面に示された特定の形態に限定されないことを理解されたい。むしろ、本開示は、添付の特許請求の範囲で定義された本発明の精神及び範疇に含まれる全ての変形例、均等物、及び代替手段を包含する。
【００１４】
本明細書に記載した方法、組成物、及び構造は、一部、特定の化粧品製剤（例えば、マスカラ、アイライナーなど）を塗布することを課題とすることができ、新規なハンドル及びアプリケータが有用であろう具現化に基づく。例えば、本明細書に記載するように、人間工学的で洗練された設計は、例えば、化粧品製剤を塗布することを特に難しくする身体障害及び機能障害をもつ人々によって、より簡単に例外なく使用される。
【００１５】
図１Ａ−図１Ｃは、１つの実施形態による化粧品アプリケータワンド４０の図である。図１Ａ−図１Ｃの実施形態において、アイライナーを塗布するために塗布用ワンド４０が使用されるが、ワンド４０は、限定されるものではないが、マスカラ、アイブローペンシルなどを含む何らかの適切な化粧品製剤と共に使用することが意図されている。
【００１６】
化粧品アプリケータワンド４０は、概して細長い器具であり、主軸線Ｚの方向に細長く、第１の端部４６及び第２の端部４７を有する。化粧品アプリケータワンド４０は、ユーザが把持できるよう構成されたハンドルステム４２を含む。また、塗布用ワンド４０は、アプリケータ結合部４３、本明細書では環状部４４として示されている拡大部、及び溝５０（例えば、指置き）を含む。破線４４１で囲まれた領域は、溝５０の一部ではない環状部４４の一部を示す。これらの要素は、以下に詳細に説明される。
【００１７】
ハンドルステム部４２は、何らかの適切な形状、例えば、ユーザが把持するのに適した形状とすることができる。例えば、一部の実施形態において、Ｘ軸及びＹ軸で定められた平面でのステム４２を通る断面形状は、六角形を描く。一部の実施形態において、ハンドルステムは、円形、楕円形、又はｎ辺の多角形（ｎは任意数、例えば３から１０の間の整数）を含む何らかの適切な形状をもつことができることが意図される。一部の実施形態において、複数の外形を組み合わせたもの、例えば、半円及び半六角形の断面形状を用いることができる。
【００１８】
一部の実施形態において、ワンド４０は、Ｘ軸及びＹ軸で定められた平面で様々な断面を有する。例えば、この断面は、第２の端部４７よりも第１の端部４６でより大きな外形、又は第１の端部４６よりも第２の端部４７でより大きな外形、又は第１の端部と第２の端部との間で変化する外形、例えば、ステム４２上の膨らみを有することができる。一部の実施形態において、Ｚ軸の方向に沿って変わる外形の形状及びサイズは、使用するための握り、質感、適合性、バランスなどの人間工学的考察に向けて最適化される。一部の実施形態において、ハンドルは、ユーザの手にしっかりと人間工学的に適合するように構成される指溝又は他の表面特徴部などの窪みを含むことができる。
【００１９】
ステム部は、大半の手の大きさに容易に適合するよう構成することができる。例えば、ステム部は、第１の端部と第２の端部との間に配置され、Ｚ軸に沿って６から１２ｃｍの間の長さを有することができる。一部の実施形態において、断面の直径（例えば、断面の最大直線長さ）は、約５ｃｍ未満（例えば、４ｃｍ未満、２ｃｍ未満）である。一部の実施形態において、この直径断面は、約１ｃｍよりは大きく（例えば、約２ｃｍより大きく）、例えば、直径断面は、典型的なアイライナーペンシルの直径より大きく、保持するのが容易で心地よい。
【００２０】
一部の実施形態において、ワンド４０は、片手で容易に保持できる重さである。例えば、約５００ｇ未満（例えば、約４００ｇ未満、約３００ｇ未満、約２００ｇ未満）の重さとなるように質量体を有する。一部の実施形態において、ワンド４０を製造する材料は、軽量かつ低密度となるように選択される。例えば、プラスチック、ゴム、発泡体、軽い木材（例えば、コルク）、軽金属（例えば、アルムニウム）及びこれらの組み合わせである。一部の実施形態において、ワンドは、気泡などの内部ボイド、ハニカム構造、又は空洞を含む。
【００２１】
一部の実施形態において、ハンドルステム４２は、滑りを防ぐのを助ける手触りであり、他のデザイン又は形状を含むことができる。一部の実施形態において、ハンドルステムは、握っている手の皮膚に対して摩擦係数が大きな材料で作ることができる。例えば、材料の静止摩擦係数は、約０．２よりも大きくすることができる（例えば、０．３より大きい、約０．４より大きい、約０．５よりも大きい）。一部の実施形態において、ハンドルステムは、プラスチック、ゴム、金属、木材、コルク、又はこれらの材料の組み合わせのなかの１又は２以上から構成される。一部の実施形態において、ステムは、発泡体などの「形状適合」又は軟質材料を含み、これは、指と接触してワンドを握る指の形の相補的窪みを形成することを意図している。
【００２２】
化粧品アプリケータワンド４０は、ハンドルステム４２とアプリケータ結合部４３の下部との間で上端又は第１の端部４６に向かう拡大要素４４を含む。一部の実施形態において、図１Ａ−１Ｃに図示された実施形態に示されるように、拡大要素は環状であり、凸形の外見を有するが溝５０も有する円形断面を示す。例えば、溝５０は、指（例えば、人差し指）を置くように又は指が表面に支えられるように構成することができる。
【００２３】
拡大部の断面は何らかの適切な形状になるように構成することができることを理解されたい。例えば、一部の実施形態において、Ｘ軸及びＹ軸で定められる平面で要素４４を通る断面形状は、円形、楕円形、矩形、又はｎ辺の多角形（ｎは任意数、例えば３から１０の間の整数）を含む何らかの適切な形状を含む。一部の実施形態において、複数の外形を組み合わせたもの、例えば、半円及び半六角形の断面形状を用いることができる。本明細書で用いられる場合、「要素の直径」は、断面形状の中で最大直線距離を意味する。一部の実施形態において、拡大要素は、環の一部であるか、又は球体、突起、又は表面から突出する他の形状の形をした突出要素とすることができる。要素４４は、表面に対するワンドの静止点として利用することができ、従って、これに適する何らかの形状を用いることができる。
【００２４】
溝５０は、ワンド４０の部分４４上の概して平らになった部分であり、ユーザが指、例えば人差し指をその上に楽に合わせることができるように形作られかつ配置されている。例えば、図１Ｃに示すように、溝は、アーチ形又は凹形の断面を有することができ（拡大領域４４の形状に無関係に）、この形状は、概してこの溝に接触することになる人差し指などの指の曲率に適合することができる。一部の実施形態において、溝は、その上にテクスチャ表面を含み、例えば、ユーザの指が滑るのを防ぐのを助ける。一部の実施形態において、材料は、低摩擦係数を有するように選択され、さもなければステムハンドル４２に関して上述したように滑りを防ぐように選択される。一部の実施形態において、人差し指、中指、薬指、小指、又はさらに親指のうちの１又は２以上を溝の中に置くことができ、又は溝は、顔に接して置くことができる。
【００２５】
溝５０は、本明細書に説明したようなワンドの他の特徴部で与えられる支持、器用さ、及び正確さに加えて、ワンド４０のユーザに対して、支持、器用さ、及び正確さを提供する。また、溝は、ユーザがワンドを正しい方向に置くのを助けるための触感又は指示を提供することができる。また、溝は、ワンド４０が化粧台などの平面上に置かれた場合に転がるのを防ぐことができる。
【００２６】
図２及び図３は、溝５０を使用する実施形態を示す図である。この実施形態において、片方の手の人差し指は、溝に接して置かれているが、中指、薬指、小指、及び親指はステム４２に接触している。従って、ユーザは、握り締めるのではなくリラックスして、それにもかかわらず、しっかりワンド４０上を把持することができる。
【００２７】
図４は、アプリケータ４８を含めてワンド４０を使用するための実施形態を示す図である。本実施形態において、溝は、指に利用されていないが、アプリケータ４８の先端をまぶたに当てる間に、溝を頬に接して置いて方向付け面を提供することができる。アプリケータは、以下に詳細に説明する、のぞき用孔５２を有する。
【００２８】
一部の実施形態において、凹状の又は平らな溝５０ではなく拡大要素４４の凸状湾曲面４４１が頬に接触する。これにより、ユーザは、頬骨及び目の下の領域にわたって化粧品アプリケータワンド４０を転がすことができ（車輪のように）、同時にまぶたの全域でアプリケータ４８を楽に滑らせることができ、それによって、アイライナーの正確な塗布を行うのを助ける。この方法は、他の種類の化粧品製剤を塗布するためにも利用できることが想定されいる。
【００２９】
上記のどちらかの方向付けでも、例えば、顔に対して拡大要素４４の溝５０又は凸状湾曲面４４１を方向付けることで、ユーザの頬骨に対して拡大要素４４を置いて、「静止して押す（Ｒｅｓｔ  ａｎｄ  Ｐｒｅｓｓ）」又は「滑らせて案内する（ｇｌｉｄｅ  ａｎｄ  ｇｕｉｄｅ）」ことで、ユーザがアイライナーを塗布するためにアプリケータ４８を目領域に接触させる間に、ユーザはワンド４０を着底（ｇｒｏｕｎｄｉｎｇ）させることができる。この着底技術は、アイライナー塗布プロセスの間に、震えを緩和しさらに手を安定させるのを助けることができる。
【００３０】
拡大要素４４は、取り扱い及び使用を容易にするように形作られかつ釣り合いがとられた直径及び断面形状を有する。一部の実施形態において、直径は約１ｃｍより大きく（例えば、約１．５ｃｍより大きい、約２ｃｍより大きい）。一部の実施形態において、直径は、約５ｃｍより小さい（例えば、４ｃｍより小さい、約３ｃｍより小さい、約２．５ｃｍより小さい）。
【００３１】
図５Ａ−図５Ｃを参照すると、ワンド４０、アプリケータ４８、及び蓋５０４を含む組立体５００の非限定的な実施形態が示されている。のぞき用孔５２も示されている。一部の実施形態において、蓋５０４は、化粧品製剤を収容するためのリザーバとして構成されている容器である。また、蓋５０４は、アプリケータ４８に最も近いワンド４０及びワンド４０の端部４６上をシールするように構成することもできるので、蓋５０４内の内容物（例えば、化粧品製剤）は全く漏出せず、アプリケータ４８は外部物質で汚染される又は貯蔵時に損なわれる可能性が低い。シールは、蓋５０４とワンド４０との間の何らかの有用な手段で形成することができ、この手段は、例えば、溝、スナップ留め方式の要素、ねじ要素（例えば、互いに接触する場合に蓋５０４及びワンド４０上の適合する螺旋ねじ山特徴部を有する）、蓋５０４をワンド４０にしっかり固定するための相補的テーパー、これらの何らかの組み合わせなどである。一部の実施形態において、主軸Ｚは、ワンド４０、アプリケータ４８、及び蓋５０４に共通する。
【００３２】
図６Ａ−図６Ｃは、１つの非限定的な実施形態によるアプリケータ４８を示す。アプリケータ４８のシャフト又はハンドル６０２、並びにのぞき用孔５２が示されている。のぞき用孔５２は、先端領域６０９又はアプリケータ４８の領域に配置されており、鏡を用いる場合に目のさらなる可視性をもたらすので、化粧品を塗布するのを容易にするよう構成されている。のぞき用孔５２の幅寸法６０４及び高さ寸法６０６が示されている。これらの寸法６０４及び６０６は、大まかな方向を示し、例えば、図面に示すような最小値と最大値との間などの様々な数値又はスカラー値を含むことができる。すなわち、のぞき用孔の幅６０４の値は、軸Ｚの方向に沿って変わることができ、のぞき用孔の高さ６０６は、軸Ｙの方向に沿って変わることができる。従って、のぞき用孔５２は、本発明の他の実施形態においてサイズ及び形状が変わることができる。一部の実施形態において、のぞき用孔５２は、図６Ｂに示すように、１又は２以上の反射面において対称である。一部の他の実施形態において、のぞき用孔５２は対称ではない。一部の実施形態において、視界面積は、少なくとも１平方センチメートルであり（例えば、少なくとも１ｃｍ2、少なくとも１．５ｃｍ2、少なくとも２ｃｍ2）、この視界面積は、のぞき用孔５２を通る最大投影面積として定められる。例えば、視界面積は、縁６０８で囲まれて、軸Ｘ及びＹに直交する平面上に投影された面積で定めることができる。一部の実施形態において、視界領域の最小幅６０４及び／又は最小高さ６０４は、少なくとも２ｍｍである（例えば、少なくとも３ｍｍ、少なくとも４ｍｍ、少なくとも５ｍｍ）。アプリケータ４８は、塗布部又は作業部６１０を有し、これはユーザの皮膚（例えば、まぶた）に接触するよう構成されている。
【００３３】
一部の実施形態において、図６Ａ−図６Ｃに示すように、先端領域６０９は、幅広の塗布部又は作業部６１０で特徴付けることができる。本明細書で用いられる場合、「幅広の」は、より尖った、「作業」面として一点又は一面を有する従来のアイライナーペンシル先端と対比される。例えば、作業部のＹ方向の幅は、一部の実施形態において、少なくとも０．２ｃｍである（例えば、少なくとも０．５ｃｍ、少なくとも０．７５ｃｍ、又は少なくとも１ｃｍ）。一部の実施形態において、作業面は、約１ｃｍ未満である（例えば、約０．７５ｃｍ未満、約０．５ｃｍ未満）。本明細書で用いられる場合、作業部６１０は、例えば化粧品製剤を塗布する際に、皮膚にこすりつけられる表面を意味する。先端領域６０９は、塗布部又は作業部６１０が主軸Ｚから離れて突き出るように湾曲形状を有する。アプリケータ４８の一部の他の特徴部では、作業部６１０は、目領域と接触することができる複数の作業面及び領域を有する。一部の実施形態において、作業部６１０は、少なくとも２つの作業面（例えば、少なくとも３）を有する。例えば、図６Ａ−図６Ｃの作業部６１０は、第１の表面６１５、第２の表面６１７、及び第３の表面６１３を有する。第１の表面６１５において、先端領域６０９は薄くなり、すなわち第２の表面６１７と第１の表面６１５との間の距離が小さくなり、その結果、表面領域６１３は小さく、この第３の表面６１３を用いて化粧品製剤の正確なラインを引くことができる。第１の表面６１５及び第２の表面６１７は、例えば、目のウォーターラインへの化粧品製剤の塗布のための幅広面を提供する。
【００３４】
シャフト６０２は、ワンド４０を連結要素４３に結合するよう構成されている。この結合部は、雄雌結合体とすることができる。例えば、連結要素４３は、シャフト６０２に結合する（例えば、連結又は受け入れる）ように構成された穴又は窪みを含むことができる。一部の実施形態において、アプリケータ４８をシャフト６０２によってしっかり固定するのを助けるための追加の要素、例えば保持要素、突出部、テーパー、ピン、ファスナー、これらの何らかの組み合わせなどを使用することができる。一部の実施形態において、磁気手段が、アプリケータ４８をワンド４０にしっかり固定するために使用され、シャフト６０２が何らかの鉄系材料を有し、連結要素４３が磁性材料を有するか、又は要素４３が鉄系材料を有し、シャフト６０２が磁性材料を有する。雄雌結合体の他の実施形態において、穴又は窪みなどの連結要素４３がアプリケータ４８上に配置され、ワンド４０上の突出部又はシャフトが、シャフト６０２に結合する（例えば、連結又は受け入れられる）ように構成される。
【００３５】
一部の実施形態において、アプリケータ４８は、ウレタン又はシリコーンなどの可撓性材料を含む。本明細書で用いられる場合、「可撓性」は、それを押す指の力で容易に曲がり得るが、その形状を保持して例えばアイライナーアプリケータとして使用することができる材料を意味する。追加的又は代替的に、一部の実施形態において、アプリケータ４８は、例えば、デリケートな目領域の近くで皮膚を横切ってブラッシングする又は滑らせるための柔軟で心地よい材料を含む。使用可能な一部の非限定的な材料の例として、シリコーン、熱可塑性ポリウレタン（ＴＰＵ）、熱可塑性エラストマー（ＴＰＥ）、これらの何らかの組み合わせなどを挙げることができる。一部の実施形態において、材料はＴＰＥを含み、ＴＰＥは射出成形される。柔軟であるが形状を保持する材料で作られることに加えて、このようなＴＰＥは、例えば、人工又は天然ブラシヘアよりも清潔に保つのが容易である。
【００３６】
一部の実施形態において、アプリケータ、例えば、アプリケータ４８は、使い捨てできるので洗浄の必要がなく、殺菌物品として提供して適切に包装することができる。一部の実施形態において、アプリケータは、再利用可能であり、従って洗浄可能であり、殺菌することができる。従って、アプリケータ、例えば、アプリケータ４８は、ワンド４０に対して取り外し可能に結合することができる。本明細書で用いられる場合、「取り外し可能」に結合される又は連結されるとは、ワンド４０及び／又はアプリケータ４８に損傷を与えることなく、アプリケータがワンド４０に対して２回以上結合又は連結できることを意味する。
【００３７】
一部の実施形態において、アプリケータ４８などのアプリケータは、ワンド４０の一体ユニットとして結合され、例えば、アプリケータ４８などのアプリケータは、ワンド４０から取り外しできない。
【００３８】
アプリケータ４８は、ワンド４０などのワンドに限定されない多くのホルダーに使用することができる。例えば、アプリケータ４８は、円形又は卵形のホルダーに使用することができる。
【００３９】
図７は、アプリケータ４８が装着されたワンドを把持するユーザの手を示す。上記に説明して示したように、ユーザの指は、堅くしっかりと、しかしリラックスした人間工学的に好都合な方法でワンド把持部の周りに配置することができる。この種の把持部は、作業端に力を与える又は力を向かわせる握り拳のようなやり方で把持するようになっている、ナイフ、ハンマー、又はバットのハンドルなどの他の器具用のハンドルと対比することができる。
【００４０】
図８は、アプリケータ４８及びワンド４０を備えるキットの実施形態を示す。例えば、アプリケータ４８１、４８２、４８３、４８４、４８４、及び４８６である。図示のように、アプリケータは、様々な塗布及び化粧に役立つ様々な構成及び形状の孔５２を有する。一部の実施形態において、ブラシなどのアプリケータは、ワンド４０に取り付けることができ、このキットに含まれている。一部の実施形態において、このキットは、化粧品又はスキンケア塗布製剤などの他の物品を含むことができる。また、このキットは、アプリケータ４８、４８１、４８２、４８３、４８４、４８４、４８６、ブラシアプリケータ、スプーリエス（ｓｐｏｏｌｉｅｓｓ）、１又は２以上のワンド（例えば、ワンド４０又はこのようなもの）、化粧品又はスキンケア塗布製剤を収容する入れ物、及び鏡のうちの１又は２以上などのキット物品を収容するための入れ物を含むことができる。キットの入れ物は、物品を所定位置に保持するための窪み、溝、ストラップ、バンド、又は他の手段を含むことができる。
【００４１】
化粧品アプリケータワンド及びこれに取り付けられた限定されるものではないがアプリケータ４８などのアプリケータは、多くの化粧品又はスキンケア塗布製剤に使用することができる。例えば、本明細書に記載されたアプリケータ及び／又はホルダーは、クリーム、乳剤、ローション、液体、美容液、オイル、粉末、溶液、軟膏、練り物、懸濁液、香油、ゲル、スティック、スプレー、何らかのこれらの組み合わせなどを塗布するために使用することができる。アプリケータ及び／又はホルダーは、限定されるものではないが、眉ペンシル及びフィラー、マスカラ、アイライナー、アイシャドウ、プライマー、ヘア（例えば、まつ毛又は眉毛）コンディショナー及びトリートメント、つけまつ毛、まつ毛カーラーなどのアイメイク：プライマー、ファンデーション、コンシーラー、パウダー、ハイライター／光沢色素、ブラシ及びコンター、及びセッティングスプレーなどのフェースメイク：リップスティック、リップグロス、リップステイン、リップバーム、リップライナー、皮膚剥離及び調節トリートメントなどのリップ化粧；クレンザー、エクスフォリエーター、マスク、保湿剤、老化防止治療などのスキンケアなどを含む、化粧、スキンケア、風呂及び／又はヘア製品を塗布するために使用することができる。
【００４２】
本明細書で用いられる場合、用語「備えている」又は「備える」は、請求項に係る発明にとって必須である組成物、方法、及びそれらのそれぞれの構成要素に関して使用されるが、必須であるか否かに関わらず、特定されていない要素の包含にも開かれている。
【００４３】
本明細書で用いられる場合、用語「本質的に〜から成る」は、所定の実施形態に必要な要素を指す。この用語は、請求項に係る発明の実施形態の基本的で新規な又は機能的な特性に実質的に影響を与えない要素の存在を容認する。
【００４４】
用語「〜成る」は、本明細書に記載されたような組成物、方法、及びそれぞれの構成要素を指し、実施形態の説明に列挙されていない何らかの要素を排除する。
【００４５】
本明細書及び添付の特許請求の範囲で用いられる場合、単数形の名詞は、その内容について別段の明確な指示がない限り、複数の指示対象を有する実施形態を含む。従って、「方法」への言及は、１又は２以上の方法及び／又は本明細書に記載のステップ及び／又は本開示を読むことで当業者に明らかになるものなどを含む。同様に、用語「又は」は、その内容について別段の明確な指示がない限り「及び」を含むことが意図される。
【００４６】
作動例以外、又は別の方法で示されている場合、本明細書で使用される含有物の量又は反応条件を表す全ての数は、用語「約」として全ての例で修正されることを理解されたい。用語「約」は、パーセンテージとの関連で示される場合、参照される数値の±５％（例えば、±４％、±３％、±２％、±１％）を意味することができる。
【００４７】
数値の範囲が提示される場合、範囲の上限値と下限値との間の各数値は、想定されており本明細書に開示されている。
【００４８】
本明細書で特に定義されない限り、本出願に関連して使用される科学用語及び技術用語は、当業者であれば一般に理解される意味を有するものとする。さらに、文脈で特に要求されない限り、単数の用語は複数を、複数の用語は単数を含むものとする。
【００４９】
本明細書に記載の実施形態は、本明細書に記載された変わることがある特定の方法論、手順、反応物（ｒｅａｇｅｎｔｓ）に限定されない。本明細書で用いる方法論は、単に実施形態を説明するためのものであり、特許請求の範囲のみに定義された本発明の範囲を限定することは意図されていない。
【００５０】
本明細書に記載された様々な態様は、以下の番号付けされたパラグラフによって示すことができる。
１．細長い器具の形態の化粧品アプリケータワンドであって、
上記細長い器具の第１の端部と第２の端部との間に配置され、ユーザが把持するように構成された領域を含むステム部と、
上記細長い器具の上記第１の端部のアプリケータ連結要素と、
上記ユーザが把持するように構成された領域と上記アプリケータ連結要素との間に配置された拡大要素と、
を備える、化粧品アプリケータワンド。
２．上記ユーザが把持するように構成された領域は、円形、楕円形、又はｎ辺形（ｎは３から１０の間の整数）の断面形状を有する、パラグラフ１に記載の化粧品アプリケータワンド。
３．上記ユーザが把持するように構成された領域は、ユーザがしっかりと把持するためのテクスチャード加工が施されている、パラグラフ１又は２に記載の化粧品アプリケータワンド。
４．上記ステムは、テーパー付けされており、上記拡大要素に最も近い位置でより大きな断面積を有し、上記拡大要素から遠位の位置でより小さい断面積を有する、パラグラフ１から３のいずれかに記載の化粧品アプリケータワンド。
５．上記拡大要素は溝（例えば、指溝）を含む、パラグラフ１から４のいずれかに記載の化粧品アプリケータワンド。
６．上記溝はアーチ形表面を有する、パラグラフ１から５のいずれかに記載の化粧品アプリケータワンド。
７．上記拡大要素は、約５ｃｍよりも小さい直径を有する、パラグラフ１から６のいすれかに記載の化粧品アプリケータワンド。
８．上記アプリケータ連結要素は、アプリケータハンドルに取り外し可能に結合するように構成されており、上記細長い器具の主軸と上記アプリケータハンドルの主軸は実質的に平行である、パラグラフ１から７のいずれかに記載の化粧品アプリケータワンド。
９．上記連結要素及び上記アプリケータハンドルは、雄雌結合体を備え、例えば、上記連結要素はアプリケータハンドルの一端をその中に配置するためのを窪みを備え、又は上記連結要素は突出部を備えかつ前記アプリケータハンドルは前記突出部をその中に配置するための窪みを備える、パラグラフ１から８のいずれかに記載の化粧品アプリケータワンド。
１０．シャフト及びアプリケータ先端を備える化粧品アプリケータであって、
上記アプリケータ先端は、上記シャフトの主軸から離れて湾曲し、のぞき用又は観察用貫通孔として構成された貫通孔を含む、
化粧品アプリケータ。
１１．上記アプリケータは、シリコーン、熱可塑性ポリウレタン（ＴＰＵ）、熱可塑性エラストマー（ＴＰＥ）、又はこれらの組み合わせで構成される、パラグラフ１０に記載の化粧品アプリケータ。
１２．上記アプリケータ先端は、化粧品製剤を塗布するための少なくとも２つの作業面を備える、パラグラフ１０又は１１に記載の化粧品アプリケータ。
１３．上記アプリケータは、ホルダーに取り外し可能に取り付けられる、パラグラフ１０から１２のいずれかに記載の化粧品アプリケータ。
１４．細長い器具の形態の化粧品アプリケータワンドと、アプリケータシャフト及びアプリケータ先端を備えるアプリケータとを備え、上記アプリケータ先端が、化粧品製剤を皮膚に塗布するための塗布面を含む、化粧品塗布用の組立体であって、上記塗布用ワンドは、
上記細長い器具の第１の端部と第２の端部との間に配置され、ユーザが把持するよに構成された領域を含むステム部と、
上記細長い器具の上記第１の端部のアプリケータ連結要素と、
上記ユーザが把持するように構成された領域と上記アプリケータ連結要素との間に配置された拡大要素と、
を備え、
上記アプリケータシャフトは、上記アプリケータ連結要素を用いて上記細長い器具の上記第１の端部で上記ワンドに結合される、組立体。
１５．上記アプリケータ先端は、のぞき用貫通孔として構成された貫通孔を備える、パラグラフ１４に記載の組立体。
１６．化粧品製剤用のリザーバとして構成されると共に、上記細長い器具の上記第１の端部に最も近い上記ワンドをシールするように構成された容器をさらに備える、パラグラフ１４又は１５に記載の組立体。
１７．対象者に化粧品製剤を塗布する方法であって、
上記細長い要素の上記ステム部を用いてパラグラフ１４に記載の上記組立体を保持するステップと、
上記アプリケータの上記塗布面を、上記対象者のまぶた又は眉に接触させるステップと、
を含む方法。
１８．上記拡大要素を、上記対象者の顔に対して着底させるステップをさらに含む、パラグラフ１７に記載の方法。
１９．上記着底させるステップは、上記対象者の顔に対して上記要素を回転させる又は滑らせることを含む、
２０．
パラグラフ１３に記載の上記組立体は、指を置くために配置された溝を含み、上記溝に指を置くステップを伴う上記組立体を保持するステップを含む、パラグラフ１７又は１８に記載の方法。
【図１Ａ】
2021518793.tif 000003
【図１Ｂ】
2021518793.tif 000004
【図１Ｃ】
2021518793.tif 000005
【図２】
2021518793.tif 000006
【図３】
2021518793.tif 000007
【図４】
2021518793.tif 000008
【図５Ａ】
2021518793.tif 000009
【図５Ｂ】
2021518793.tif 000010
【図５Ｃ】
2021518793.tif 000011
【図６Ａ】
2021518793.tif 000012
【図６Ｂ】
2021518793.tif 000013
【図６Ｃ】
2021518793.tif 000014
【図７】
2021518793.tif 000015
【図８】
2021518793.tif 000016
【国際調査報告】
2021518793.tif 000017
2021518793.tif 000018
2021518793.tif 000019
2021518793.tif 000020
2021518793.tif 000021